(57)【要約】      （修正有）【課題】導出口の開口軸と導入口の開口軸との相対角度を、予め定めた設計値に合わせることが可能なエアトラップチャンバを提供する。【解決手段】エアトラップチャンバ１０はキャップ２０及びハウジング３０を備える。キャップ２０は、一端に導入口２４が設けられるとともに、他端に断面円形の内周面（第一合わせ面）を有する第一接続フランジ２７が設けられ、導入口２４の開口軸Ｃ１が内周面の中心軸Ｃ３の軸外に設けられる。ハウジング３０は、一端に、内周面と合わせられる断面円形の外周面３２Ａ（第二合わせ面）を有する第二接続フランジ３２が設けられるとともに、他端に導出口３１が設けられ、導出口３１の開口軸Ｃ２が外周面３２Ａの中心軸Ｃ３の軸外に設けられる。さらに、キャップ２０及びハウジング３０に位置合わせ構造であるパーティングライン（２８Ａ，２８Ｂ）が設けられる。【選択図】図７
2019193733.tif 000002
【特許請求の範囲】
【請求項１】
一端に導入口が設けられるとともに、他端に断面円形の第一合わせ面を有する第一接続フランジが設けられ、前記導入口の開口軸が前記第一合わせ面の中心軸の軸外に設けられるキャップと、
一端に、前記第一合わせ面と合わせられる断面円形の第二合わせ面を有する第二接続フランジが設けられるとともに、他端に導出口が設けられ、前記導出口の開口軸が前記第二合わせ面の中心軸の軸外に設けられるハウジングと、
を備え、
前記キャップ及びハウジングに位置合わせ構造が設けられる、
エアトラップチャンバ。
【請求項２】
請求項１に記載のエアトラップチャンバであって、
前記位置合わせ構造として、前記キャップに、パーティングライン、突起、凹み溝、及び位置合わせマークの少なくとも一つが形成され、前記ハウジングにも、前記パーティングライン、前記突起、前記凹み溝、及び前記位置合わせマークの少なくとも一つが形成される、
エアトラップチャンバ。
【請求項３】
脱血された血液が循環される体外循環回路の流路上に、請求項１または２に記載のエアトラップチャンバが接続された、
体外循環回路。
【発明の詳細な説明】
【技術分野】
【０００１】
本発明は、エアトラップチャンバ及びこれを備える体外循環回路に関する。
【背景技術】
【０００２】
例えば血液透析では、患者から脱血された血液が体外循環回路に送られる。体外循環回路は、脱血された血液が供給される動脈側回路と、動脈側回路から送られた血液を浄化する浄化器（ダイアライザ）と、浄化後の血液を患者に返血する静脈側回路とを備える。
【０００３】
動脈側回路及び静脈側回路の少なくとも一方には、回路を流れる血液内の気泡を捕捉する（除泡する）ためのエアトラップチャンバが設けられる。例えば特許文献１〜３に記載されているように、エアトラップチャンバは、上端に血液の導入口及びエア抜き口が形成されるとともに、下端に血液の導出口が形成される。
【先行技術文献】
【特許文献】
【０００４】
【特許文献１】特許第３９３６１２１号公報
【特許文献２】特開平６−１４２１９２号公報
【特許文献３】登録実用新案第３１０５７７７号公報
【発明の概要】
【発明が解決しようとする課題】
【０００５】
ところで、プライミング時のように透析治療時とは逆向きに液体が流れるとき、エアトラップチャンバよりも下流側からエアトラップチャンバの導出口に気泡が入り込む逆流が生じる場合がある。エアトラップチャンバ内に入った気泡はそのままチャンバ内を上昇する。上昇する気泡がそのまま導入口に至ると、エアトラップチャンバより上流の動脈側回路や血液浄化器に入り込む。そうなると、入り込んだ気泡をエアトラップチャンバに戻すために、動脈側回路のチューブや血液浄化器を下方に動かしたり外から叩いたりするなどの煩雑な追加作業が発生する。導入口への気泡の進入を防ぐために、導出口の開口軸と導入口の開口軸とをずらすようにエアトラップチャンバを形成することが考えられる。
【０００６】
ここで、エアトラップチャンバが、導入口側の部材であるキャップと、導出口側の部材であるハウジングとから構成される場合がある。両部材の組み立て工程において、導出口と導入口との位置合わせをする、つまり、導出口の開口軸と導入口の開口軸とをずらすように位置決めする必要がある。
【０００７】
特に、キャップ及びハウジングの合わせ面が断面円形であるような場合には、固着前のキャップとハウジングとが相対移動可能となる。このとき、キャップ及びハウジングの合わせ面の中心軸と、導出口の開口軸、及び、導入口の開口軸の３者がそれぞれに対して軸外に配置される場合に、合わせ面の中心軸を基準にした、導出口の開口軸と導入口の開口軸との相対角度が、キャップとハウジングとの相対角度に応じて変化する。
【０００８】
例えばキャップとハウジングとを固着させるために、両者の合わせ面間に接着剤を塗布して、当該接着剤をなじませるためにキャップとハウジングとを嵌め合わせた上で両者を相対回転させる場合があるが、このときに導出口の開口軸と導入口の開口軸との相対角度が、予め定めた設計値から逸脱するおそれがある。
【課題を解決するための手段】
【０００９】
本発明はエアトラップチャンバに関する。当該エアトラップチャンバはキャップ及びハウジングを備える。キャップは、一端に導入口が設けられるとともに、他端に断面円形の第一合わせ面を有する第一接続フランジが設けられ、導入口の開口軸が第一合わせ面の中心軸の軸外に設けられる。ハウジングは、一端に、第一合わせ面と合わせられる断面円形の第二合わせ面を有する第二接続フランジが設けられるとともに、他端に導出口が設けられ、導出口の開口軸が第二合わせ面の中心軸の軸外に設けられる。さらに、キャップ及びハウジングに位置合わせ構造が設けられる。
【００１０】
本発明によれば、キャップ及びハウジングの位置合わせ構造により、導出口の開口軸と導入口の開口軸との相対角度を、予め定めた設計値に合わせることが可能となる。
【００１１】
また上記発明において、位置合わせ構造として、前記キャップに、パーティングライン、突起、凹み溝、及び位置合わせマークの少なくとも一つが形成され、前記ハウジングにも、前記パーティングライン、前記突起、前記凹み溝、及び前記位置合わせマークの少なくとも一つが形成されてよい。
【００１２】
また本発明は、体外循環回路に関する。当該回路では、脱血された血液が循環される。この体外循環回路の流路上に、上記発明に係るエアトラップチャンバが接続される。
【発明の効果】
【００１３】
本発明によれば、導出口の開口軸と導入口の開口軸との相対角度を、予め定めた設計値に合わせることが可能となる。
【図面の簡単な説明】
【００１４】
【図１】本実施形態に係るエアトラップチャンバが用いられる体外循環回路を例示する図である。
【図２】本実施形態に係るエアトラップチャンバを例示する斜視図である。
【図３】本実施形態に係るエアトラップチャンバを例示する斜視断面図である。
【図４】本実施形態に係るエアトラップチャンバの、キャップの構造を説明する図である。
【図５】本実施形態に係るエアトラップチャンバの使用時の様子を例示する斜視断面図である。
【図６】本実施形態に係るエアトラップチャンバ内の全体の流れについて説明する図である。
【図７】本実施形態に係るエアトラップチャンバを、キャップとハウジングとに分解したときの例を示す斜視分解図である。
【図８】図２のＡ−Ａ断面図である。
【図９】合わせ面の中心軸、導入口の開口軸、及び導出口の開口軸との相対変位を例示する図である。
【図１０】本実施形態の別例に係るエアトラップチャンバを例示する斜視分解図である。
【図１１】本実施形態の更なる別例に係るエアトラップチャンバを例示する斜視分解図である。
【発明を実施するための形態】
【００１５】
図１に、本実施形態に係るエアトラップチャンバ１０が接続される体外循環回路が例示される。体外循環回路は、例えば血液透析に用いられる回路であって、動脈側回路５０、血液浄化器５４、透析装置５５、静脈側回路５１、及び補液ライン６０を備える。なお、本実施形態に係るエアトラップチャンバ１０は、透析治療に用いられる体外循環回路に接続されているが、この形態に限らない。例えば患者から脱血した血液を循環し、浄化治療し得る体外循環回路に、本実施形態に係るエアトラップチャンバ１０が接続されてもよい。例えばアセテートフリーバイオフィルトレーション（ＡＦＢＦ）、持続緩徐式血液濾過療法、血液吸着療法、選択式血球成分除去療法、単純血漿交換療法、二重膜濾過血漿交換療法、血漿吸着療法等で使用される体外循環回路に、本実施形態に係るエアトラップチャンバ１０を接続させてよい。また、本実施形態に係るエアトラップチャンバ１０は、体外循環回路の、後述する動脈側回路５０、静脈側回路５１、及び補液ライン６０に設けることができる。またその他にも、血栓が生じるおそれのある経路上、要するに体外循環回路における、血液または血液成分が流れる経路上に、本実施形態に係るエアトラップチャンバ１０が接続可能である。また加えて、体外循環回路の、血液または血液成分が流れる経路上、生理食塩水が流れる経路上、及びこれらを含めた体外循環回路の流路上に、本実施形態に係るエアトラップチャンバ１０が接続可能となっている。
【００１６】
動脈側回路５０には、患者の体内から脱血された血液が供給される。動脈側回路５０は、上流側から、動脈側穿刺針５２、及びローラポンプ５３を備える。動脈側穿刺針５２が患者の血管に穿刺されて動脈側回路５０のチューブに血液が送られる（脱血）。
【００１７】
ローラポンプ５３はチューブの外側から当該チューブをしごくことでチューブ内の血液を血液浄化器５４に輸送する。なお、例えばプライミングの際に静脈側回路からプライミング液を回路内に満たす場合もあることから、ローラポンプ５３は正逆回転可能であってよい。
【００１８】
動脈側穿刺針５２からローラポンプ５３の間、及び、ローラポンプ５３から血液浄化器５４の間に、本実施形態に係るエアトラップチャンバ１０が接続されてもよい。エアトラップチャンバ１０の構造や機能については後述する。なお、返血時に血液の除泡を確実に行うため、静脈側回路５１におけるエアトラップチャンバ１０は必須の構成であるのに対して、動脈側回路５０に設けられるこれらのエアトラップチャンバ１０は任意に設けることができる。
【００１９】
動脈側回路５０の、ローラポンプ５３と血液浄化器５４の間に、補液ライン６０が設けられる。補液ライン６０には、補液バッグ５７及びクランプ５９が設けられる。また補液バッグ５７とクランプ５９の間に、エアトラップチャンバ１０が設けられる。
【００２０】
補液バッグ５７には補液である生理食塩水が収容される。例えば体外循環回路のプライミング時に、クランプ５９が開放状態にされ補液バッグ５７から生理食塩水が体外循環回路に流される。回路内に生理食塩水が満たされることで回路内の気泡が除去される。プライミングが完了するとクランプ５９が閉止状態に切り替えられる。
【００２１】
また、透析治療の完了後、回路内の血液を患者体内に返血するために、再びクランプ５９が開放状態にされ、回路内が補液バッグ５７の生理食塩水で満たされる。言い換えると回路内の血液が生理食塩水に置換される。
【００２２】
血液浄化器５４は動脈側回路５０から送られた血液を浄化する。血液浄化器５４はいわゆるダイアライザであって、例えば中空糸膜５４Ａを介して透析液と血液とが物質交換される。血液浄化器５４は、複数本の中空糸膜５４Ａの束（中空糸膜束）がカラム５４Ｂ内に収容される。
【００２３】
カラム５４Ｂは円筒状の収容部材であって、中心軸方向の一端に導入側キャップ５４Ｃが取り付けられ、他端に導出側キャップ５４Ｄが取り付けられる。導入側キャップ５４Ｃには、動脈側回路５０の下流末端のコネクタ（図示せず）に接続される血液導入ポート５４Ｅが設けられる。導出側キャップ５４Ｄには、静脈側回路５１の上流端のコネクタ（図示せず）に接続される血液導出ポート５４Ｆが設けられる。動脈側回路５０から送られる血液は、血液導入ポート５４Ｅから中空糸膜５４Ａの内部に流れ込む。
【００２４】
カラム５４Ｂの、導出側キャップ５４Ｄ寄りの部分には、透析液導入ポート５４Ｇが設けられる。またカラム５４Ｂの、導入側キャップ５４Ｃ寄りの部分には、透析液導出ポート５４Ｈが設けられる。透析液導入ポート５４Ｇを介して、透析装置５５からカラム５４Ｂ内に透析液が送られる。中空糸膜５４Ａを介して透析液と血液とが物質交換され、その結果血液が浄化される。物質交換後の透析液は透析液導出ポート５４Ｈを介して透析装置５５に戻される。また浄化後の血液は血液導出ポート５４Ｆを介して静脈側回路５１に送られる。
【００２５】
静脈側回路５１では、静脈側穿刺針５６を介して浄化後の血液が患者の体内に返血される。返血の際に血液中の気泡を除去する（除泡）ため、静脈側回路５１にエアトラップチャンバ１０が設けられる。
【００２６】
図２に、本実施形態に係るエアトラップチャンバ１０が例示される。また図３に、エアトラップチャンバ１０の斜視断面図が例示される。エアトラップチャンバ１０は、チャンバ本体１２及びフィルタ４０を備える。
【００２７】
なお、透析治療中、エアトラップチャンバ１０は紙面上側が上方、紙面下側が下方となる様に立設された状態で使用される。以下では特に説明のない限り、この使用時の立設配置を基準に、各構成の位置や構造を説明する。
【００２８】
チャンバ本体１２は略円筒形状であってその長手方向一端（上端）に導入管２１及びエア抜き口２２が設けられる。また長手方向他端（下端）に導出口３１が設けられる。すなわち、チャンバ本体１２内では、導入管２１から導出口３１まで液体（血液、生理食塩水等）が流下される。
【００２９】
チャンバ本体１２は、例えばキャップ２０及びハウジング３０から構成されてよい。キャップ２０及びハウジング３０は例えば樹脂を射出成形することにより得られる。成形の際に、可動側金型と固定側金型との合わせ目に微小な隙間ができ、そこに樹脂が入り込むことでキャップ２０及びハウジング３０の表面にはパーティングライン２８Ａ，２８Ｂと呼ばれる線条構造が突設される。後述するように、本実施形態に係るエアトラップチャンバ１０では、このパーティングライン２８Ａ，２８Ｂがキャップ２０及びハウジング３０の位置合わせ構造として利用される。
【００３０】
図４にはキャップ２０の斜視断面図が例示される。キャップ２０はチャンバ本体１２の上部部材であって、その上端（一端）に導入管２１及びエア抜き口２２が設けられた断面コ字状の部材である。キャップ２０はキャップ本体２５、第一接続フランジ２７、及び導入管２１を備える。
【００３１】
キャップ本体２５は、その内面が液体に触れる接液部であって、その長手方向一端（上端）が上壁２５Ａにより閉じられた円筒形状に形成される。上壁２５Ａには、導入口２４（図３参照）及びエア抜き口２２が形成される。キャップ本体２５の他端（下端）が第一接続フランジ２７に接続される。第一接続フランジ２７はキャップ２０の、長手方向他端部（下端部）となる。
【００３２】
また上壁２５Ａからキャップ本体２５の内部、つまりチャンバ本体１２の内部まで、導入管２１が延設される。導入管２１の上端には、エアトラップチャンバ１０が静脈側回路５１に設けられる場合に、静脈側回路５１の上流側のチューブに溶剤による接着等により接続される導入口２４が形成される。また導入管２１の下端にはチャンバ本体１２内に液体を吐出する吐出口２３が形成される。このように、吐出口２３が上壁２５Ａよりも下方に設けられることで、チャンバ本体１２内の気泡が導入管２１から静脈側回路５１の上流側に抜けてしまう気泡抜けが防止される。
【００３３】
すなわち、例えば吐出口２３が上壁２５Ａの下面、つまりエア抜き口２２と同じ高さに設けられている場合、チャンバ内の気泡がエア抜き口２２に行かずに吐出口２３に移動してそのまま静脈側回路５１の上流側に抜けるおそれがある。そこで本実施形態に係るエアトラップチャンバ１０では、吐出口２３をチャンバの内部まで下げて、静脈側回路５１の上流側への気泡の混入を防止している。
【００３４】
加えて、図８を参照して、導入口２４（導入管２１）の開口軸Ｃ１は、第一接続フランジ２７の合わせ面である内周面２７Ａの中心軸Ｃ３の軸外に設けられる。このような配置とすることで、後述するように、導出口３１から逆流した気泡が上昇した際に、その上昇経路から導入口２４を外すことが可能になる。
【００３５】
導入管２１の吐出口２３は、キャップ本体２５の内周面２６に沿って設けられ、その上、内周面２６の周方向にその開口が向けられている。例えば導入管２１の下端には下壁２１Ａが形成され、その側方が切り欠かれて吐出口２３となっている。例えば吐出口２３は、内周面２６の接線方向に平行に向けられる。また吐出口２３の切断面２１Ｂは、内周面２６の径方向に平行となる様に形成される。
【００３６】
吐出口２３が、キャップ本体２５の内周面２６に、周方向に向けて設けられることで、吐出口２３から流れ出る液体（血液、生理食塩水等）の流れは、内周面２６に沿って流れる旋回流となる。エアトラップチャンバ１０内の液体流れが旋回流となることで、特定の流れが形成されない場合と比較して、エアトラップチャンバ１０内の液体の滞留が抑制される。
【００３７】
図５には、透析治療時のエアトラップチャンバ１０の様子が例示される。エアトラップチャンバ１０は、図中の破線ハッチングで示されるように、チャンバ本体１２の内部空間のほぼ全域が液体（血液、生理食塩水等）で満たされている、いわゆるエアレスチャンバであってもよい。
【００３８】
このようにチャンバ本体１２内が液体で満たされた状態で、吐出口２３から液体がさらに流入される。上述したように、吐出口２３はキャップ２０の内周面２６に、周方向に向けて設けられているため、吐出口２３から流入した液体の流れは、図６に例示するように、内周面２６に沿った旋回流となる。チャンバ本体１２内の液体はそのまま旋回流の状態を保ちながら、フィルタ４０を経由して導出口３１から静脈側回路５１に送られる。
【００３９】
図３に戻り、キャップ本体２５の下端に、第一接続フランジ２７が接続される。第一接続フランジ２７は例えばキャップ本体２５と同軸の円筒形状の部材であって、その内径はキャップ本体２５の内径よりも大きく形成される（拡径される）。後述するように、第一接続フランジ２７の内周面２７Ａはハウジング３０の第二接続フランジ３２の外周面３２Ａ（第二合わせ面）と合わせられる（断面円形の）第一合わせ面となる。
【００４０】
第一合わせ面である内周面２７Ａは、突起やねじ山等の無い平滑面であってよい。後述するように、キャップ２０とハウジング３０とを組み付ける際に、キャップ２０の内周面２７Ａとハウジング３０の外周面３２Ａとを互いに摺動させる。この摺動がスムーズに行えるように、内周面２７Ａは平滑面であることが好適である。また内周面２７Ａは断面円形であってよい。より詳細には、その断面形状は、理想的には歪みのない真円形状であることが好ましいが、上記のような摺動を妨げない範囲で、つまり実質的に断面円形と認められる範囲で、僅かな楕円形状であってもよい。
【００４１】
図３、７、８を参照して、ハウジング３０は略円筒の部材であって、上端（一端）に第二接続フランジ３２が形成され、下端（他端）に導出管３３が形成される。導出管３３の下端が導出口３１となる。導出口３１は静脈側回路５１の上流側のチューブに、溶剤による接着等により接続され、エアトラップチャンバ１０内の液体（血液、生理食塩水等）を静脈側回路５１に導出する。第二接続フランジ３２と導出管３３の間は円筒形状のハウジング本体３４が設けられる。
【００４２】
ハウジング３０は、上から下に行くにつれて、すなわち、第二接続フランジ３２、ハウジング本体３４、及び導出管３３の順に、内径が小さくなるように構成される。図８を参照して、第二接続フランジ３２の中心軸Ｃ３が導出口３１の開口軸（ハウジング本体３４の中心軸）Ｃ２の軸外に配置されるように、第二接続フランジ３２及び導出口３１が形成される。したがって図７に例示されるように、ハウジング本体３４に対して偏心されるように、第二接続フランジ３２が接続される。
【００４３】
また、ハウジング本体３４と導出管３３は同軸となるように形成される。その結果、導出口３１の開口軸Ｃ２は第二接続フランジ３２の中心軸Ｃ３の軸外に設けられる。上述したように、キャップ２０の導入口２４の開口軸Ｃ１が第一接続フランジ２７の中心軸Ｃ３の軸外に設けられる。また、導出口３１の開口軸Ｃ２が第二接続フランジ３２の中心軸Ｃ３の軸外に設けられる。また図示されているように開口軸Ｃ１，Ｃ２及び中心軸Ｃ３は互いに平行に設けられる。このような配置とすることで、導入口２４の開口軸Ｃ１が導出口３１の開口軸Ｃ２の軸外に配置可能となる。これにより、導出口３１から逆流した気泡が上昇したときに、当該気泡が導入口２４に進入することが抑制される。
【００４４】
例えばハウジング本体３４の内径ＤＯと、導入管２１の内径ＤＩを用いると、導入管２１の開口軸Ｃ１と導出口３１の開口軸Ｃ２との離間距離Ｌは、Ｌ＞（ＤＩ＋ＤＯ）／２であることが好適である。なお、ハウジング本体３４が、その内径が下端に行くほど狭くなるようなテーパ形状である場合には、当該テーパ形状の最大内径が内径ＤＯとしてよい。
【００４５】
第二接続フランジ３２の外周面３２Ａはキャップ２０の第一接続フランジ２７の内周面２７Ａ（第一合わせ面）と合わせられる第二合わせ面となる。第一接続フランジ２７の内周面２７Ａと同様にして、第二接続フランジ３２の外周面３２Ａは、突起やねじ山等の無い平滑面であってよい。また、外周面３２Ａの断面形状は、理想的には歪みのない真円形状であることが好ましいが、上記のような摺動を妨げない範囲で、つまり実質的に断面円形と認められる範囲で、僅かな楕円形状であってもよい。
【００４６】
図７を参照して、キャップ２０及びハウジング３０にはそれぞれパーティングライン２８Ａ，２８Ｂが形成される。パーティングライン２８Ａ，２８Ｂはキャップ２０及びハウジング３０の組み付けの際に位置合わせ構造として利用される。
【００４７】
例えばパーティングライン２８Ａ，２８Ｂは、図９上段に示すような、導入口２４の開口軸Ｃ１、導出口３１の開口軸Ｃ２、及び第一接続フランジ２７の中心軸Ｃ３が直線状に配置された直線配置の際に、互いの位置が重なるように形成される。例えば、可動用金型と固定用金型との形状や配置を調整して、射出成形を行う際に、キャップ２０にパーティングライン２８Ａが形成され、ハウジング３０にパーティングライン２８Ｂが形成される。
【００４８】
＜エアトラップチャンバの組み立て＞
以下では本実施形態に係るエアトラップチャンバ１０の組み立てについて説明する。まず、フィルタ４０がハウジング本体３４に組み付けられる。図８を参照して、フィルタ４０の天井部４２を先頭にして、導出口３１からチャンバ内にフィルタ４０が挿入される。さらに導出管３３の内周面とフィルタ４０の底部の外周面との間に溶剤（接着剤）が塗布されたチューブ（図示せず）が押し込まれフィルタ４０が位置決めされる。この位置決めの際に溶剤によりチューブが導出管３３の内周面に接着される。このように、チューブによって、ハウジング３０とフィルタ４０との間がシールされる。
【００４９】
次に、キャップ２０をハウジング３０に取り付ける。キャップ２０の第一接続フランジ２７の内周面２７Ａ及びハウジング３０の第二接続フランジ３２の外周面３２Ａの少なくとも一方に接着剤（溶剤）を塗布し、第一接続フランジ２７に第二接続フランジ３２を挿入させる。
【００５０】
さらに接着剤をなじませるために、つまり第一接続フランジ２７の内周面２７Ａと第二接続フランジ３２の外周面３２Ａの表面形状に追従させる形で接着剤を分布させるために、キャップ２０及びハウジング３０を相対回動させる。このとき、キャップ２０及びハウジング３０は第一接続フランジ２７及び第二接続フランジ３２の中心軸Ｃ３を回転軸として相対回転させられる。
【００５１】
この相対回転の際に、導入口２４の開口軸Ｃ１と導出口３１の開口軸Ｃ２とが相対変位させられる。例えば図９に例示されるように、第一及び第二接続フランジ２７，３２の中心軸Ｃ３を回転中心として、当該中心軸Ｃ３からの径が異なる開口軸Ｃ１及び開口軸Ｃ２とが相対回転させられる。例えばキャップ２０及びハウジング３０は、図９上段の、開口軸Ｃ１及び開口軸Ｃ２が最も離間される直線配置や、開口軸Ｃ１及び開口軸Ｃ２が近接される、図９中段及び下段に示される折れ線配置となる。
【００５２】
キャップ２０及びハウジング３０を相対回動させて接着剤をなじませた後、図７に示すキャップ２０のパーティングライン２８Ａとハウジング３０のパーティングライン２８Ｂとを位置合わせして図９上段の直線配置とする。例えばパーティングライン２８Ａ，２８Ｂが一直線上に並ぶようにキャップ２０とハウジング３０の位置が揃えられる。その後、接着剤が硬化してキャップ２０及びハウジング３０が固着される。このようにすることで、導出口３１の開口軸Ｃ２と導入口２４の開口軸Ｃ１との相対角度を、予め定めた設計値に合わせることが可能となる。
【００５３】
なお、上述する実施形態では、キャップ２０の第一合わせ面を、第一接続フランジ２７の内周面２７Ａとし、また、ハウジング３０の第二合わせ面を、第二接続フランジ３２の外周面３２Ａとしたが、この形態に限られない。要するに接続フランジ同士が径方向で対向する位置関係にあればよく、第一接続フランジ２７を第二接続フランジ３２よりも小径とした上で、第一接続フランジ２７の外周面を第一合わせ面とし、第二接続フランジ３２の内周面を第二合わせ面としてもよい。
【００５４】
＜位置合わせ構造の別例＞
図１０には、本実施形態に係るエアトラップチャンバ１０の別例が示される。この例では、パーティングライン２８Ａ，２８Ｂに代えて、第一接続フランジ２７の外周面に突起であるリブ１２８Ａを突設させ、また、ハウジング本体３４の外周面にもリブ１２８Ｂを突設させている。例えばハウジング本体３４のリブ１２８Ｂの上端は第二接続フランジの下端に設けられる。
【００５５】
エアトラップチャンバ１０の組み立てに際して、リブ１２８Ａ，１２８Ｂの位置を揃える、つまり一直線上に配列されるようにキャップ２０とハウジング３０の相対位置を揃えることで、図９上段の直線配置が得られる。つまり、導出口３１の開口軸Ｃ２と導入口２４の開口軸Ｃ１との相対角度を、予め定めた設計値に合わせることが可能となる。
【００５６】
このように、突起物であるリブ１２８Ａ，１２８Ｂを位置合わせ構造として利用することで、目視での位置合わせ確認に加えて、探触による位置合わせの確認、つまり触ってみて位置が揃っているか否かを確認できる。
【００５７】
なお、目視での位置合わせ確認に加えて、探触による位置合わせの確認が可能であるとの観点から、第一接続フランジ２７の外周面に、リブ１２８Ａの代わりとして径方向内側に掘り込まれた凹み溝を形成させ、また、ハウジング本体３４の外周面にも、リブ１２８Ｂの代わりとして、凹み溝を形成させてよい。
【００５８】
＜位置合わせ構造の更なる別例＞
図１１には、本実施形態に係るエアトラップチャンバ１０の更なる別例が示される。この例では、パーティングライン２８Ａ，２８Ｂに代えて、第一接続フランジ２７の外周面に位置合わせマーク２２８Ａが印字され、また、ハウジング本体３４の外周面にも位置合わせマーク２２８Ｂが印字されている。例えばハウジング本体３４の位置合わせマーク２２８Ｂの上端は第二接続フランジ３２の下端に設けられる。
【００５９】
エアトラップチャンバ１０の組み立てに際して、位置合わせマーク２２８Ａ，２２８Ｂの位置を揃える、つまり一直線上に配列されるようにキャップ２０とハウジング３０の相対位置を揃えることで、図９上段の直線配置が得られる。つまり、導出口３１の開口軸Ｃ２と導入口２４の開口軸Ｃ１との相対角度を、予め定めた設計値に合わせることが可能となる。
【００６０】
このように、キャップ２０及びハウジング３０に位置合わせマーク２２８Ａ，２２８Ｂを印字させることで、当該印字における解像度レベルでの位置合わせ精度が確保される。例えばインクジェットプリンタでは１０００ＤＰＩ（Ｄｏｔ  Ｐｅｒ  Ｉｎｋ）程度の解像度を備えており、理論上２．５４ｃｍ×１０−３程度のオーダーの位置合わせが可能となる。
【００６１】
＜位置合わせ構造のまた更なる別例＞
以上説明した実施形態では、第一接続フランジ２７の外周面と、ハウジング本体３４の外周面に、同一種類の位置合わせ構造（パーティングライン２８Ａ，２８Ｂ、リブ１２８Ａ，１２８Ｂ（突起）、凹み溝、位置合わせマーク２２８Ａ，２２８Ｂ）を形成させていたが、この形態に限らない。要するにキャップ２０とハウジング３０との位置合わせができればよいのであるから、キャップに、パーティングライン２８Ａ、リブ１２８Ａ、凹み溝、及び位置合わせマーク２２８Ａの少なくとも一つが形成され、ハウジング３０にも、パーティングライン２８Ｂ、リブ１２８Ｂ、凹み溝、及び位置合わせマーク２２８Ｂの少なくとも一つが形成されていればよい。
【符号の説明】
【００６２】
１０  エアトラップチャンバ、１２  チャンバ本体、２０  キャップ、２１  導入管、２２  エア抜き口、２３  吐出口、２４  導入口、２５  キャップ本体、２７  第一接続フランジ、２７Ａ  第一接続フランジの内周面（第一合わせ面）、２８Ａ，２８Ｂ  パーティングライン（位置合わせ構造）、３０  ハウジング、３１  導出口、３２  第二接続フランジ、３２Ａ  第二接続フランジの外周面（第二合わせ面）、３３  導出管、３４  ハウジング本体、５０  動脈側回路、５１  静脈側回路、５４  血液浄化器、５５  透析装置、１２８Ａ，１２８Ｂ  リブ（位置合わせ構造）、２２８Ａ，２２８Ｂ  位置合わせマーク（位置合わせ構造）。
【図１】
2019193733.tif 000003
【図２】
2019193733.tif 000004
【図３】
2019193733.tif 000005
【図４】
2019193733.tif 000006
【図５】
2019193733.tif 000007
【図６】
2019193733.tif 000008
【図７】
2019193733.tif 000009
【図８】
2019193733.tif 000010
【図９】
2019193733.tif 000011
【図１０】
2019193733.tif 000012
【図１１】
2019193733.tif 000013